【手続補正書】
【提出日】平成16年4月7日(2004.4.7)
【手続補正１】
【補正対象書類名】明細書
【補正対象項目名】特許請求の範囲
【補正方法】変更
【補正の内容】
【特許請求の範囲】
【請求項１】
番組ガイドにおいてナビゲートするための方法であって、
該番組ガイドをユーザに提示するステップと、
該ユーザによって選択され得るナビゲーションセルを該番組ガイドにおいて提示するステップと、
該ナビゲーションセルのユーザ選択を受信するステップと、
ナビゲーションアイコンのユーザ選択に応答して、該番組ガイドを該ナビゲーションセルに対応するナビゲーションポイントへナビゲートするステップと
を包含する方法。
【請求項２】
番組グリッドを前記番組ガイド内に提示するステップであって、該番組グリッドは前記ナビゲーションセルおよび番組情報セルを含む、ステップをさらに包含する請求項１に記載の方法。
【請求項３】
前記番組グリッド内の番組情報セルから前記ナビゲーションセルへカーソルを再配置するステップをさらに包含する請求項２に記載の方法。
【請求項４】
ユーザ入力に応答して、前記ナビゲーションセルを実質的に固定しながら、前記番組情報セルをスクロールするステップをさらに包含する請求項２に記載の方法。
【請求項５】
アイコンを前記ナビゲーションセルにおいて提示するステップをさらに包含する請求項１に記載の方法。
【請求項６】
前記ナビゲーションポイントは現在放送中の番組に対応する、請求項１に記載の方法。
【請求項７】
前記ナビゲーションポイントはプレミアムチャネル上で放送される番組に対応する、請求項１に記載の方法。
【請求項８】
前記ナビゲーションポイントはプライムタイム時間ピリオド中に放送される番組に対応する、請求項１に記載の方法。
【請求項９】
番組ガイドにおいてナビゲートするための方法であって、
該番組ガイドをユーザに提示するステップと、
該ユーザによって選択され得るナビゲーションポイントを含むメニューを該番組ガイドにおいて提示するステップと、
該ナビゲーションポイントのユーザ選択を受信するステップと、
該ナビゲーションポイントのユーザ選択に応答して、該番組ガイドを該ナビゲーションポイントへナビゲートするステップと
を包含する方法。
【請求項１０】
番組グリッドを前記番組ガイド内に提示するステップをさらに包含する請求項９に記載の方法。
【請求項１１】
前記ナビゲーションポイントは現在放送中の番組に対応する、請求項９に記載の方法。
【請求項１２】
前記ナビゲーションポイントはプレミアムチャネル上で放送される番組に対応する、請求項９に記載の方法。
【請求項１３】
前記ナビゲーションポイントはプライムタイム時間ピリオド中に放送される番組に対応する、請求項９に記載の方法。
【請求項１４】
番組ガイドを提示するためのシステムであって、
ユーザからのユーザ入力を受信するリモートコントロールと、
該番組ガイドがユーザに提示されるようにし、該ユーザによって選択され得るナビゲーションセルが該番組ガイドにおいて提示されるようにし、該ナビゲーションセルのユーザ選択を該ユーザ入力の一部として受信し、かつナビゲーションアイコンのユーザ選択に応答して、該番組ガイドを該ナビゲーションセルに対応するナビゲーションポイントへナビゲートするコントロールユニットと
を含むシステム。
【請求項１５】
前記コントロールユニットはまた、番組グリッドが前記番組ガイド内に提示されるようにし、該番組グリッドは前記ナビゲーションセルおよび番組情報セルを含む、請求項１４に記載のシステム。
【請求項１６】
前記コントロールユニットはまた、前記番組グリッド内の番組情報セルから前記ナビゲーションセルへカーソルを再配置する、請求項１５に記載のシステム。
【請求項１７】
前記コントロールユニットはまた、ユーザ入力に応答して、前記ナビゲーションセルを実質的に固定しながら、前記番組情報セルをスクロールする、請求項１５に記載のシステム。
【請求項１８】
前記コントロールユニットはまた、アイコンが前記ナビゲーションセルにおいて提示されるようにする、請求項１４に記載のシステム。
【請求項１９】
前記ナビゲーションポイントは現在放送中の番組に対応する、請求項１４に記載のシステム。
【請求項２０】
前記ナビゲーションポイントはプレミアムチャネル上で放送される番組に対応する、請求項１４に記載のシステム。
【請求項２１】
前記ナビゲーションポイントはプライムタイム時間ピリオド中に放送される番組に対応する、請求項１４に記載のシステム。
【請求項２２】
番組ガイドを提示するためのシステムであって、
ユーザからのユーザ入力を受信するリモートコントロールと、
該番組ガイドがユーザに提示されるようにし、該ユーザによって選択され得るナビゲーションポイントを含むメニューが該番組ガイドにおいて提示されるようにし、該ナビゲーションポイントのユーザ選択を受信し、かつ該ナビゲーションポイントのユーザ選択に応答して、該番組ガイドを該ナビゲーションポイントへナビゲートするコントロールユニットと
を含むシステム。
【請求項２３】
前記コントロールユニットはまた、番組グリッドを前記番組ガイド内に提示する、請求項２２に記載のシステム。
【請求項２４】
前記ナビゲーションポイントは現在放送中の番組に対応する、請求項２２に記載のシステム。
【請求項２５】
前記ナビゲーションポイントはプレミアムチャネル上で放送される番組に対応する、請求項２２に記載のシステム。
【請求項２６】
前記ナビゲーションポイントはプライムタイム時間ピリオド中に放送される番組に対応する、請求項２２に記載のシステム。
【請求項２７】
番組ガイド情報のデータベースへのアクセスを有するインタラクティブテレビ番組ガイドを操作するための方法であって、
リモートソースから得られるパラメータを使用して、該データベースのサーチを規定する少なくとも１つのデフォルトの選択基準を定義するステップと、
該番組ガイド情報を視聴するオプションをユーザに提供するステップと、
該番組ガイド情報を視聴するオプションのユーザ選択を受信したことに応答して、
該少なくとも１つのデフォルトの選択基準を満足する該番組ガイド情報を探してデータベースをサーチするステップと、
該少なくとも１つのデフォルトの選択基準を満足する該番組ガイド情報を表示するステップと
を包含する方法。
【請求項２８】
前記少なくとも１つのデフォルトの選択基準を定義するステップは、該少なくとも１つのデフォルトの選択基準を、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される選択基準であるように定義するステップを包含する、請求項２７に記載の方法。
【請求項２９】
前記リモートソースから得られるパラメータを使用して、前記番組ガイド情報に対する少なくとも１つのデフォルトのソート属性を定義するステップと、
該番組ガイド情報を視聴するオプションのユーザ選択を受信したことに応答して、前記少なくとも１つのデフォルトの選択基準を満足する該番組ガイド情報を該少なくとも１つのデフォルトのソート属性にしたがってソートするステップであって、該番組ガイド情報を表示するステップは、該番組ガイド情報を視聴するオプションのユーザ選択を受信したことに応答して、該少なくとも１つのデフォルトの選択基準を満足し、かつ該少なくとも１つのデフォルトのソート属性にしたがってソートされた該番組ガイド情報を表示するステップと
をさらに包含する請求項２７に記載の方法。
【請求項３０】
前記少なくとも１つのデフォルトのソート属性を定義するステップは、該少なくとも１つのデフォルトのソート属性を、アルファベット順、レーティング、チャネル、テレビ放送時刻、スポーツ、およびこれらの任意の組み合わせからなる群から選択されるソート属性であるように定義するステップを包含する、請求項２９に記載の方法。
【請求項３１】
少なくとも１つの選択基準を選択するオプションを前記ユーザに提供するステップと、
該少なくとも１つの選択基準を選択するオプションのユーザ選択を受信したことに応答して、
該少なくとも１つの選択基準を満足する該番組ガイド情報を前記少なくとも１つのデフォルトのソート属性にしたがってソートするステップと、
該少なくとも１つの選択基準を満足し、かつ該少なくとも１つのデフォルトのソート属性にしたがってソートされた該番組ガイド情報を表示するステップと
をさらに包含する請求項２９に記載の方法。
【請求項３２】
前記少なくとも１つの選択基準を定義するステップは、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションをユーザに提供するステップを包含する、請求項３１に記載の方法。
【請求項３３】
前記リモートソースから得られるパラメータを使用して、少なくとも１つのデフォルトのソート属性を定義するステップは、該リモートソースから得られるパラメータを使用して、前記少なくとも１つの選択基準に特異的な少なくとも１つのデフォルトのソート属性を定義するステップを包含する、請求項３１に記載の方法。
【請求項３４】
少なくとも１つのソート属性を選択するオプションを前記ユーザに提供するステップと、
該少なくとも１つのソート属性を選択するオプションのユーザ選択を受信したことに応答して、
前記少なくとも１つのデフォルトの選択基準を満足する該番組ガイド情報を該少なくとも１つのソート属性にしたがってソートするステップと、
該少なくとも１つのデフォルトの選択基準を満足し、かつ該少なくとも１つのソート属性にしたがってソートされた該番組ガイド情報を表示するステップと
をさらに包含する請求項２９に記載の方法。
【請求項３５】
前記少なくとも１つのソート属性を選択するオプションをユーザに提供するステップは、アルファベット順、レーティング、チャネル、テレビ放送時刻、スポーツ、およびこれらの任意の組み合わせからなる群から選択される少なくとも１つのソート属性を選択するオプションを該ユーザに提供するステップを包含する、請求項３４に記載の方法。
【請求項３６】
少なくとも１つの選択基準を選択するオプションを前記ユーザに提供するステップと、
該少なくとも１つの選択基準を選択するオプションのユーザ選択を受信したことに応答して、
該少なくとも１つの選択基準を満足する該番組ガイド情報を探して前記データベースをサーチするステップと、
該少なくとも１つの選択基準を満足する該番組ガイド情報を表示するステップと
をさらに包含する請求項２７に記載の方法。
【請求項３７】
前記少なくとも１つの選択基準を選択するオプションをユーザに提供するステップは、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションを該ユーザに提供するステップを包含する、請求項３６に記載の方法。
【請求項３８】
少なくとも１つのソート属性を選択するオプションを前記ユーザに提供するステップと、
該少なくとも１つのソート属性を選択するオプションのユーザ選択を受信したことに応答して、
前記少なくとも１つの選択基準を満足する該番組ガイド情報を該少なくとも１つのソート属性にしたがってソートするステップと、
該少なくとも１つの選択基準を満足し、かつ該少なくとも１つのソート属性にしたがってソートされた該番組ガイド情報を表示するステップと
をさらに包含する請求項３６に記載の方法。
【請求項３９】
前記少なくとも１つのソート属性を選択するオプションをユーザに提供するステップは、アルファベット順、レーティング、チャネル、テレビ放送時刻、スポーツ、およびこれらの任意の組み合わせからなる群から選択される少なくとも１つのソート属性を選択するオプションを該ユーザに提供するステップを包含する、請求項３８に記載の方法。
【請求項４０】
前記少なくとも１つのソート属性を選択するオプションをユーザに提供するステップは、前記少なくとも１つの選択基準に特異的な少なくとも１つのソート属性を選択するオプションを該ユーザに提供するステップを包含する、請求項３８に記載の方法。
【請求項４１】
少なくとも１つのソート属性を選択するオプションを前記ユーザに提供するステップと、
該少なくとも１つのソート属性を選択するオプションのユーザ選択を受信したことに応答して、
前記少なくとも１つのデフォルトの選択基準を満足する該番組ガイド情報を該少なくとも１つのソート属性にしたがってソートするステップと、
該少なくとも１つのデフォルトの選択基準を満足し、かつ該少なくとも１つのソート属性にしたがってソートされた該番組ガイド情報を表示するステップと
をさらに包含する請求項２７に記載の方法。
【請求項４２】
前記少なくとも１つのソート属性を選択するオプションをユーザに提供するステップは、アルファベット順、レーティング、チャネル、テレビ放送時刻、スポーツ、およびこれらの任意の組み合わせからなる群から選択される少なくとも１つのソート属性を選択するオプションを該ユーザに提供するステップを包含する、請求項４１に記載の方法。
【請求項４３】
少なくとも１つの選択基準を選択するオプションを前記ユーザに提供するステップと、
該少なくとも１つの選択基準を選択するオプションのユーザ選択を受信したことに応答して、
該少なくとも１つの選択基準を満足する該番組ガイド情報を探して前記データベースをサーチするステップと、
該少なくとも１つの選択基準を満足する該番組ガイド情報を前記少なくとも１つのソート属性にしたがってソートするステップと、
該少なくとも１つの選択基準を満足し、かつ該少なくとも１つのソート属性にしたがってソートされた該番組ガイド情報を表示するステップと
をさらに包含する請求項４１に記載の方法。
【請求項４４】
前記少なくとも１つの選択基準を選択するオプションをユーザに提供するステップは、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションを該ユーザに提供するステップを包含する、請求項４３に記載の方法。
【請求項４５】
少なくとも１つの選択基準を選択するオプションを前記ユーザに提供するステップと、
前記リモートソースから得られるパラメータを使用して、該少なくとも１つの選択基準に特異的な少なくとも１つのデフォルトのソート属性を定義するステップと、
該少なくとも１つの選択基準を選択するオプションのユーザ選択を受信したことに応答して、
該少なくとも１つの選択基準を満足する該番組ガイド情報を探して前記データベースをサーチするステップと、
該少なくとも１つの選択基準を満足する該番組ガイド情報を、該少なくとも１つの選択基準に特異的な該少なくとも１つのデフォルトのソート属性にしたがってソートするステップと、
該少なくとも１つの選択基準を満足し、かつ該少なくとも１つの選択基準に特異的な該少なくとも１つのデフォルトのソート属性にしたがってソートされた該番組ガイド情報を表示するステップと
をさらに包含する請求項４１に記載の方法。
【請求項４６】
前記少なくとも１つの選択基準を選択するオプションをユーザに提供するステップは、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションを該ユーザに提供するステップを包含する、請求項４５に記載の方法。
【請求項４７】
前記少なくとも１つのデフォルトのソート属性を定義するステップは、前記少なくとも１つの選択基準に対して、該少なくとも１つのデフォルトのソート属性がアルファベット順、レーティング、チャネル、テレビ放送時刻、スポーツ、およびこれらの任意の組み合わせからなる群から選択される少なくとも１つのソート属性であるように定義するステップを包含する、請求項４５に記載の方法。
【請求項４８】
予定されている視聴リストに、前記少なくとも１つのデフォルトの選択基準を満足する前記番組ガイド情報によって示される番組を追加するオプションを前記ユーザに提供するステップをさらに包含する、請求項２７に記載の方法。
【請求項４９】
録画リストに、前記少なくとも１つのデフォルトの選択基準を満足する前記番組ガイド情報によって示される番組を追加するオプションを前記ユーザに提供するステップをさらに包含する、請求項２７に記載の方法。
【請求項５０】
前記少なくとも１つのデフォルトの選択基準を満足する前記番組ガイド情報によって示される番組を購入するオプションを前記ユーザに提供するステップをさらに包含する、請求項２７に記載の方法。
【請求項５１】
前記少なくとも１つのデフォルトの選択基準を満足する前記番組ガイド情報によって示される番組にチューニングするオプションを前記ユーザに提供するステップをさらに包含する、請求項２７に記載の方法。
【請求項５２】
前記少なくとも１つのデフォルトの選択基準を満足する前記番組ガイド情報の少なくとも一部をグリッドフォーマットで視聴するオプションを前記ユーザに提供するステップをさらに包含する、請求項２７に記載の方法。
【請求項５３】
番組ガイド情報のデータベースを有するインタラクティブテレビ番組ガイドシステムであって、
リモートソースから得られるパラメータを使用して、該データベースのサーチを規定する少なくとも１つのデフォルトの選択基準を定義するための手段と、
該番組ガイド情報を視聴するオプションをユーザに提供するための手段と、
該番組ガイド情報を視聴するオプションのユーザ選択を受信するための手段と、
該ユーザ選択に応答して、該少なくとも１つのデフォルトの選択基準を満足する該番組ガイド情報を探してデータベースをサーチするための手段と、
該ユーザ選択に応答して、該少なくとも１つのデフォルトの選択基準を満足する該番組ガイド情報を表示するための手段と
を含むシステム。
【請求項５４】
前記少なくとも１つのデフォルトの選択基準を定義するための手段は、該少なくとも１つのデフォルトの選択基準を、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される選択基準であるように定義するための手段を含む、請求項５３に記載のシステム。
【請求項５５】
前記リモートソースから得られるパラメータを使用して、前記番組ガイド情報に対する少なくとも１つのデフォルトのソート属性を定義するための手段と、
前記ユーザ選択に応答して、前記少なくとも１つのデフォルトの選択基準を満足する該番組ガイド情報を該少なくとも１つのデフォルトのソート属性にしたがってソートするための手段であって、該番組ガイド情報を表示するための手段は、該ユーザ選択に応答して、該少なくとも１つのデフォルトの選択基準を満足し、かつ該少なくとも１つのデフォルトのソート属性にしたがってソートされた該番組ガイド情報を表示するための手段と
をさらに含む請求項５３に記載のシステム。
【請求項５６】
前記少なくとも１つのデフォルトのソート属性を定義するための手段は、該少なくとも１つのデフォルトのソート属性を、アルファベット順、レーティング、チャネル、テレビ放送時刻、スポーツ、およびこれらの任意の組み合わせからなる群から選択されるソート属性であるように定義するための手段を含む、請求項５５に記載のシステム。
【請求項５７】
少なくとも１つの選択基準を選択するオプションを前記ユーザに提供するための手段と、
該少なくとも１つの選択基準を選択するオプションのユーザ選択を受信するための手段と、
該少なくとも１つの選択基準を選択するオプションのユーザ選択に応答して、該少なくとも１つの選択基準を満足する該番組ガイド情報を探して前記データベースをサーチするための手段と、
該少なくとも１つの選択基準を選択するオプションのユーザ選択に応答して、該少なくとも１つの選択基準を満足する該番組ガイド情報を前記少なくとも１つのデフォルトのソート属性にしたがってソートするための手段であって、前記番組ガイド情報を表示するための手段は、該少なくとも１つの選択基準を選択するオプションのユーザ選択に応答して、該少なくとも１つの選択基準を満足し、かつ該少なくとも１つのデフォルトのソート属性にしたがってソートされた該番組ガイド情報を表示するための手段を含む、手段と
をさらに含む請求項５５に記載のシステム。
【請求項５８】
前記少なくとも１つの選択基準を選択するオプションを前記ユーザに提供するための手段は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションを該ユーザに提供するための手段を含む、請求項５７に記載のシステム。
【請求項５９】
前記リモートソースから得られるパラメータを使用して少なくとも１つのデフォルトのソート属性を定義するための手段は、該リモートソースから得られるパラメータを使用して、前記少なくとも１つの選択基準に特異的な少なくとも１つのデフォルトのソート属性を定義するための手段を含む、
請求項５７に記載のシステム。
【請求項６０】
少なくとも１つのソート属性を選択するオプションを前記ユーザに提供するための手段と、
該少なくとも１つのソート属性を選択するオプションのユーザ選択を受信するための手段と、
該少なくとも１つのソート属性を選択するオプションのユーザ選択に応答して、前記少なくとも１つのデフォルトの選択基準を満足する該番組ガイド情報を該少なくとも１つのソート属性にしたがってソートするための手段であって、前記番組ガイド情報を表示するための手段は、該少なくとも１つの選択基準を選択するオプションのユーザ選択に応答して、該少なくとも１つのデフォルトの選択基準を満足し、かつ該少なくとも１つのソート属性にしたがってソートされた該番組ガイド情報を表示するための手段を含む、手段と
をさらに含む請求項５５に記載のシステム。
【請求項６１】
前記少なくとも１つのソート属性を選択するオプションをユーザに提供するための手段は、アルファベット順、レーティング、チャネル、テレビ放送時刻、スポーツ、およびこれらの任意の組み合わせからなる群から選択される少なくとも１つのソート属性を選択するオプションを該ユーザに提供するための手段を含む、請求項６０に記載のシステム。
【請求項６２】
少なくとも１つの選択基準を選択するオプションを前記ユーザに提供するための手段と、
該少なくとも１つの選択基準を選択するオプションのユーザ選択を受信するための手段と、
該少なくとも１つの選択基準を選択するオプションのユーザ選択に応答して、該少なくとも１つの選択基準を満足する該番組ガイド情報を探して前記データベースをサーチするための手段であって、前記番組ガイド情報を表示するための手段は、該少なくとも１つの選択基準を選択するオプションのユーザ選択に応答して、該少なくとも１つの選択基準を満足する該番組ガイド情報を表示するための手段を含む、手段と
をさらに含む請求項５３に記載のシステム。
【請求項６３】
前記少なくとも１つの選択基準を選択するオプションをユーザに提供するための手段は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションを該ユーザに提供するための手段を含む、請求項６２に記載のシステム。
【請求項６４】
少なくとも１つのソート属性を選択するオプションを前記ユーザに提供するための手段と、
該少なくとも１つのソート属性を選択するオプションのユーザ選択を受信する手段と、
該少なくとも１つのソート属性を選択するオプションのユーザ選択に応答して、前記少なくとも１つの選択基準を満足する該番組ガイド情報を該少なくとも１つのソート属性にしたがってソートするための手段であって、前記番組ガイド情報を表示するための手段は、該少なくとも１つのソート属性を選択するオプションのユーザ選択に応答して、該少なくとも１つの選択基準を満足し、かつ該少なくとも１つのソート属性にしたがってソートされた該番組ガイド情報を表示するための手段を含む、手段と
をさらに含む請求項６２に記載のシステム。
【請求項６５】
前記少なくとも１つのソート属性を選択するオプションをユーザに提供するための手段は、アルファベット順、レーティング、チャネル、テレビ放送時刻、スポーツ、およびこれらの任意の組み合わせからなる群から選択される少なくとも１つのソート属性を選択するオプションを該ユーザに提供するための手段を含む、請求項６４に記載のシステム。
【請求項６６】
前記少なくとも１つのソート属性を選択するオプションをユーザに提供するための手段は、前記少なくとも１つの選択基準に特異的な少なくとも１つのソート属性を選択するオプションを該ユーザに提供するための手段を含む、請求項６４に記載のシステム。
【請求項６７】
少なくとも１つのソート属性を選択するオプションを前記ユーザに提供するための手段と、
該少なくとも１つのソート属性を選択するオプションのユーザ選択を受信する手段と、
該少なくとも１つのソート属性を選択するオプションのユーザ選択に応答して、前記少なくとも１つのデフォルトの選択基準を満足する該番組ガイド情報を該少なくとも１つのソート属性にしたがってソートするための手段であって、前記番組ガイド情報を表示するための手段は、該少なくとも１つのソート属性を選択するオプションのユーザ選択に応答して、該少なくとも１つのデフォルトの選択基準を満足し、かつ該少なくとも１つのソート属性にしたがってソートされた該番組ガイド情報を表示するための手段を含む、手段と
をさらに含む請求項５３に記載のシステム。
【請求項６８】
前記少なくとも１つのソート属性を選択するオプションをユーザに提供するための手段は、アルファベット順、レーティング、チャネル、テレビ放送時刻、スポーツ、およびこれらの任意の組み合わせからなる群から選択される少なくとも１つのソート属性を選択するオプションを該ユーザに提供するための手段を含む、請求項６７に記載のシステム。
【請求項６９】
少なくとも１つの選択基準を選択するオプションを前記ユーザに提供するための手段と、
該少なくとも１つの選択基準を選択するオプションのユーザ選択を受信する手段と、
該少なくとも１つの選択基準を選択するオプションのユーザ選択に応答して、該少なくとも１つの選択基準を満足する該番組ガイド情報を探して前記データベースをサーチするための手段と、
該少なくとも１つの選択基準を選択するオプションのユーザ選択に応答して、該少なくとも１つの選択基準を満足する該番組ガイド情報を該少なくとも１つのソート属性にしたがってソートするための手段であって、前記番組ガイド情報を表示するための手段は、該少なくとも１つの選択基準を選択するオプションのユーザ選択に応答して、該少なくとも１つの選択基準を満足し、かつ該少なくとも１つのソート属性にしたがってソートされた該番組ガイド情報を表示するための手段を含む、手段と
をさらに含む請求項６７に記載のシステム。
【請求項７０】
前記少なくとも１つの選択基準を選択するオプションをユーザに提供するための手段は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションを該ユーザに提供するための手段を含む、請求項６９に記載のシステム。
【請求項７１】
少なくとも１つの選択基準を選択するオプションを前記ユーザに提供するための手段と、
前記リモートソースから得られるパラメータを使用して、該少なくとも１つの選択基準に特異的な少なくとも１つのデフォルトのソート属性を定義するための手段と、
該少なくとも１つの選択基準を選択するオプションのユーザ選択を受信する手段と、
該少なくとも１つの選択基準を選択するオプションのユーザ選択に応答して、該少なくとも１つの選択基準を満足する該番組ガイド情報を探して前記データベースをサーチするための手段と、
該少なくとも１つの選択基準を選択するオプションのユーザ選択に応答して、該少なくとも１つの選択基準を満足する該番組ガイド情報を、該少なくとも１つの選択基準に特異的な前記少なくとも１つのデフォルトのソート属性にしたがってソートするための手段であって、前記番組ガイド情報を表示するための手段は、該少なくとも１つの選択基準を選択するオプションのユーザ選択に応答して、該少なくとも１つの選択基準を満足し、かつ該少なくとも１つの選択基準に特異的な該少なくとも１つのデフォルトのソート属性にしたがってソートされた該番組ガイド情報を表示するための手段を含む、手段と
をさらに含む請求項６７に記載のシステム。
【請求項７２】
前記少なくとも１つの選択基準を選択するオプションをユーザに提供するための手段は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を選択するオプションを該ユーザに提供するための手段を含む、請求項７１に記載のシステム。
【請求項７３】
前記少なくとも１つのデフォルトのソート属性を定義するための手段は、前記少なくとも１つの選択基準に対して、該少なくとも１つのデフォルトのソート属性がアルファベット順、レーティング、チャネル、テレビ放送時刻、スポーツ、およびこれらの任意の組み合わせからなる群から選択される少なくとも１つのソート属性であるように定義するための手段を含む、請求項７１に記載のシステム。
【請求項７４】
予定されている視聴リストに、前記少なくとも１つのデフォルトの選択基準を満足する前記番組ガイド情報によって示される番組を追加するオプションを前記ユーザに提供するための手段をさらに含む、請求項５３に記載のシステム。
【請求項７５】
録画リストに、前記少なくとも１つのデフォルトの選択基準を満足する前記番組ガイド情報によって示される番組を追加するオプションを前記ユーザに提供するための手段をさらに含む、請求項５３に記載のシステム。
【請求項７６】
前記少なくとも１つのデフォルトの選択基準を満足する前記番組ガイド情報によって示される番組を購入するオプションを前記ユーザに提供するための手段をさらに含む、請求項５３に記載のシステム。
【請求項７７】
前記少なくとも１つのデフォルトの選択基準を満足する前記番組ガイド情報によって示される番組にチューニングするオプションを前記ユーザに提供するための手段をさらに含む、請求項５３に記載のシステム。
【請求項７８】
前記少なくとも１つのデフォルトの選択基準を満足する前記番組ガイド情報の少なくとも一部をグリッドフォーマットで視聴するオプションを前記ユーザに提供するための手段をさらに含む、請求項５３に記載のシステム。
【請求項７９】
番組ガイド情報のデータベースを有するインタラクティブテレビ番組ガイドシステムであって、
ユーザからユーザ入力を受信するリモートコントロールと、
ディスプレイ装置と、
コントロールユニットであって、
リモートソースから得られるパラメータを使用して、該データベースのサーチを規定する少なくとも１つのデフォルトの選択基準を定義し、
該インタラクティブテレビ番組ガイドが該番組ガイド情報を視聴するオプションをユーザに提供するようにし、
該番組ガイド情報を視聴するオプションのユーザ選択を該リモートコントロールから受信し、
該番組ガイド情報を視聴するオプションのユーザ選択に応答して、
該少なくとも１つのデフォルトの選択基準を満足する該番組ガイド情報を探してデータベースをサーチし、
該ディスプレイ装置に、該少なくとも１つのデフォルトの選択基準を満足する該番組ガイド情報を表示するように命令する
ように構成される、コントロールユニットと
を含むシステム。
【請求項８０】
前記少なくとも１つのデフォルトの選択基準は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される選択基準を含む、請求項７９に記載のシステム。
【請求項８１】
前記コントロールユニットは、
前記リモートソースから得られるパラメータを使用して、前記番組ガイド情報に対する少なくとも１つのデフォルトのソート属性を定義し、
該番組ガイド情報を視聴するオプションのユーザ選択に応答して、前記少なくとも１つのデフォルトの選択基準を満足する該番組ガイド情報を該少なくとも１つのデフォルトのソート属性にしたがってソートし、該コントロールユニットは、該番組ガイド情報を視聴するオプションのユーザ選択に応答して、該少なくとも１つのデフォルトの選択基準を満足し、かつ該少なくとも１つのデフォルトのソート属性にしたがってソートされた該番組ガイド情報を表示するように前記ディスプレイ装置を命令するようにさらに構成される、請求項７９に記載のシステム。
【請求項８２】
前記少なくとも１つのデフォルトのソート属性は、該少なくとも１つのデフォルトのソート属性を、アルファベット順、レーティング、チャネル、テレビ放送時刻、スポーツ、およびこれらの任意の組み合わせからなる群から選択される少なくとも１つのソート属性を含む、請求項８１に記載のシステム。
【請求項８３】
前記コントロールユニットは、
前記インタラクティブ番組ガイドが、少なくとも１つの選択基準を選択するオプションを前記ユーザに提供するようにし、
該少なくとも１つの選択基準を選択するオプションのユーザ選択を前記リモートコントロールから受信し、
該少なくとも１つの選択基準を選択するオプションのユーザ選択に応答して、
該少なくとも１つの選択基準を満足する該番組ガイド情報を探して前記データベースをサーチし、
該少なくとも１つの選択基準を満足する該番組ガイド情報を前記少なくとも１つのデフォルトのソート属性にしたがってソートし、
前記ディスプレイ装置に、該少なくとも１つの選択基準を満足し、かつ該少なくとも１つのデフォルトのソート属性にしたがってソートされた該番組ガイド情報を表示するように命令するようにさらに構成される、請求項８１に記載のシステム。
【請求項８４】
前記少なくとも１つの選択基準は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を含む、請求項８３に記載のシステム。
【請求項８５】
前記少なくとも１つのデフォルトのソート属性は、前記少なくとも１つの選択基準に特異的な少なくとも１つのデフォルトのソート属性である、請求項８３に記載のシステム。
【請求項８６】
前記コントロールユニットは、
前記インタラクティブ番組ガイドが、少なくとも１つのソート属性を選択するオプションを前記ユーザに提供するようにし、
該少なくとも１つのソート属性を選択するオプションのユーザ選択を受信し、
該少なくとも１つのソート属性を選択するオプションのユーザ選択に応答して、
前記少なくとも１つのデフォルトの選択基準を満足する該番組ガイド情報を該少なくとも１つのソート属性にしたがってソートし、
前記ディスプレイ装置に、該少なくとも１つのデフォルトの選択基準を満足し、かつ該少なくとも１つのソート属性にしたがってソートされた該番組ガイド情報を表示するように命令するようにさらに構成される、請求項８１に記載のシステム。
【請求項８７】
前記少なくとも１つのソート属性は、アルファベット順、レーティング、チャネル、テレビ放送時刻、スポーツ、およびこれらの任意の組み合わせからなる群から選択される少なくとも１つのソート属性を含む、請求項８５に記載のシステム。
【請求項８８】
前記コントロールユニットは、
前記インタラクティブ番組ガイドが、少なくとも１つの選択基準を選択するオプションを前記ユーザに提供するようにし、
該少なくとも１つの選択基準を選択するオプションのユーザ選択を前記リモートコントロールから受信し、
該少なくとも１つの選択基準を選択するオプションのユーザ選択に応答して、
該少なくとも１つの選択基準を満足する該番組ガイド情報を探して前記データベースをサーチし、
前記ディスプレイ装置に、該少なくとも１つの選択基準を満足する該番組ガイド情報を表示するように命令するようにさらに構成される、請求項８１に記載のシステム。
【請求項８９】
前記少なくとも１つの選択基準は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を含む、請求項８８に記載のシステム。
【請求項９０】
前記コントロールユニットは、
前記インタラクティブ番組ガイドが、少なくとも１つのソート属性を選択するオプションを前記ユーザに提供するようにし、
該少なくとも１つのソート属性を選択するオプションのユーザ選択を前記リモートコントロールから受信し、
該少なくとも１つのソート属性を選択するオプションのユーザ選択に応答して、
前記少なくとも１つの選択基準を満足する該番組ガイド情報を該少なくとも１つのソート属性にしたがってソートし、
前記ディスプレイ装置に、該少なくとも１つの選択基準を満足し、かつ該少なくとも１つのソート属性にしたがってソートされた該番組ガイド情報を表示するように命令するようにさらに構成される、請求項８８に記載のシステム。
【請求項９１】
前記少なくとも１つのソート属性は、アルファベット順、レーティング、チャネル、テレビ放送時刻、スポーツ、およびこれらの任意の組み合わせからなる群から選択される少なくとも１つのソート属性を含む、請求項９０に記載のシステム。
【請求項９２】
前記少なくとも１つのソート属性は、前記少なくとも１つの選択基準に特異的な少なくとも１つのソート属性を含む、請求項９０に記載のシステム。
【請求項９３】
前記コントロールユニットは、
前記インタラクティブ番組ガイドが、少なくとも１つのソート属性を選択するオプションを前記ユーザに提供するようにし、
該少なくとも１つのソート属性を選択するオプションのユーザ選択を前記リモートコントロールから受信し、
該少なくとも１つのソート属性を選択するオプションのユーザ選択に応答して、
前記少なくとも１つのデフォルトの選択基準を満足する該番組ガイド情報を該少なくとも１つのソート属性にしたがってソートし、
前記ディスプレイ装置に、該少なくとも１つのデフォルトの選択基準を満足し、かつ該少なくとも１つのソート属性にしたがってソートされた該番組ガイド情報を表示するように命令するようにさらに構成される、請求項７９に記載のシステム。
【請求項９４】
前記少なくとも１つのソート属性は、アルファベット順、レーティング、チャネル、テレビ放送時刻、スポーツ、およびこれらの任意の組み合わせからなる群から選択される少なくとも１つのソート属性を含む、請求項９３に記載のシステム。
【請求項９５】
前記コントロールユニットは、
前記インタラクティブ番組ガイドが、少なくとも１つの選択基準を選択するオプションを前記ユーザに提供するようにし、
該少なくとも１つの選択基準を選択するオプションのユーザ選択を前記リモートコントロールから受信し、
該少なくとも１つの選択基準を選択するオプションのユーザ選択に応答して、
該少なくとも１つの選択基準を満足する該番組ガイド情報を探して前記データベースをサーチし、
該少なくとも１つの選択基準を満足する該番組ガイド情報を該少なくとも１つのソート属性にしたがってソートし、
前記ディスプレイ装置に、該少なくとも１つの選択基準を満足し、かつ該少なくとも１つのソート属性にしたがってソートされた該番組ガイド情報を表示するように命令するようにさらに構成される、請求項９３に記載のシステム。
【請求項９６】
前記少なくとも１つの選択基準は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を含む、請求項９５に記載のシステム。
【請求項９７】
前記コントロールユニットは、
前記インタラクティブ番組ガイドが、少なくとも１つの選択基準を選択するオプションを前記ユーザに提供するようにし、
前記リモートソースから得られるパラメータを使用して、該少なくとも１つの選択基準に特異的な少なくとも１つのデフォルトのソート属性を定義し、
該少なくとも１つの選択基準を選択するオプションのユーザ選択を前記リモートコントロールから受信し、
該少なくとも１つの選択基準を選択するオプションのユーザ選択に応答して、
該少なくとも１つの選択基準を満足する該番組ガイド情報を探して前記データベースをサーチし、
該少なくとも１つの選択基準を満足する該番組ガイド情報を、該少なくとも１つの選択基準に特異的な前記少なくとも１つのデフォルトのソート属性にしたがってソートし、
前記ディスプレイ装置に、該少なくとも１つの選択基準を満足し、かつ該少なくとも１つの選択基準に特異的な該少なくとも１つのデフォルトのソート属性にしたがってソートされた該番組ガイド情報を表示するように命令するように構成される、請求項９３に記載のシステム。
【請求項９８】
前記少なくとも１つの選択基準は、映画、ドラマ、アクション、サイエンスフィクション、コメディ、スポーツ、ＴＶ、ドキュメンタリー、ペイ・パー・ビュー、オン・イン・ネクスト・アワー、およびこれらの任意の組み合わせからなる群から選択される少なくとも１つの選択基準を含む、請求項９７に記載のシステム。
【請求項９９】
前記少なくとも１つのデフォルトのソート属性は、アルファベット順、レーティング、チャネル、テレビ放送時刻、スポーツ、およびこれらの任意の組み合わせからなる群から選択される少なくとも１つのデフォルトのソート属性を含む、請求項９７に記載のシステム。
【請求項１００】
前記コントロールユニットは、予定されている視聴リストに、前記少なくとも１つのデフォルトの選択基準を満足する前記番組ガイド情報によって示される番組を追加するオプションを前記ユーザに提供するように前記インタラクティブ番組ガイドにさせるようにさらに構成される、請求項７９に記載のシステム。
【請求項１０１】
前記コントロールユニットは、録画リストに、前記少なくとも１つのデフォルトの選択基準を満足する前記番組ガイド情報によって示される番組を追加するオプションを前記ユーザに提供するように前記インタラクティブ番組ガイドにさせるようにさらに構成される、請求項７９に記載のシステム。
【請求項１０２】
前記コントロールユニットは、前記少なくとも１つのデフォルトの選択基準を満足する前記番組ガイド情報によって示される番組を購入するオプションを前記ユーザに提供するように前記インタラクティブ番組ガイドにさせるようにさらに構成される、請求項７９に記載のシステム。
【請求項１０３】
前記コントロールユニットは、前記少なくとも１つのデフォルトの選択基準を満足する前記番組ガイド情報によって示される番組にチューニングするオプションを前記ユーザに提供するように前記インタラクティブ番組ガイドにさせるようにさらに構成される、請求項７９に記載のシステム。
【請求項１０４】
前記コントロールユニットは、前記少なくとも１つのデフォルトの選択基準を満足する前記番組ガイド情報の少なくとも一部をグリッドフォーマットで視聴するオプションを前記ユーザに提供するように前記インタラクティブ番組ガイドにさせるようにさらに構成される、請求項７９に記載のシステム。
【請求項１０５】
リモートソース、ならびに番組ガイド情報のデータベースを格納するためのメモリおよびディスプレイ装置を含むユーザ機器を含むインタラクティブテレビ番組ガイドシステムであって、
該リモートソースは該ユーザ機器に対して、少なくとも１つのデフォルトの選択基準を定義する動作パラメータを生成および提供し、該少なくとも１つのデフォルトの選択基準は該データベースのサーチを規定し、
該ユーザ機器は、該データベースの番組ガイド情報を視聴するユーザ指示を受信したことに応答して、該少なくとも１つのデフォルトの選択基準を満足する該番組ガイド情報を探してデータベースをサーチし、該ディスプレイ装置に、該少なくとも１つのデフォルトの選択基準を満足する該番組ガイド情報を表示するように命令することを特徴とする、システム。
【請求項１０６】
前記リモートソースは前記ユーザ機器に対して、前記番組ガイド情報について少なくとも１つのデフォルトのソート属性を定義するパラメータを生成および提供し、
該ユーザ機器は、前記データベースの番組ガイド情報を視聴するユーザ指示を受信したことに応答して、該ディスプレイ装置に、該少なくとも１つのデフォルトのソート属性にしたがってソートされた該少なくとも１つのデフォルトの選択基準を満足する該番組ガイド情報を表示するように命令することをさらに特徴とする、請求項１０５に記載のシステム。
【請求項１０７】
インタラクティブ番組ガイドを操作する方法であって、
複数の日オプションを含む第１の表示を表示するステップであって、該複数の日オプションの各々は、ユニークな日に対応し、該ユニークな日に対して番組スケジュール情報が利用可能であり、該複数の日オプションは、同時に月のうちの日を表す対応する複数の数を示し、その日に対して番組スケジュール情報が利用可能である、ステップと、
該複数の日オプションの１つの選択された日オプションを受信するステップと、
該選択された日オプションに対応する該番組スケジュール情報の一部を含む第２の表示を表示するステップと
を包含する方法。
【請求項１０８】
少なくとも１つのデイパートを表示するステップと、
該少なくとも１つのデイパートの１つの選択されたデイパートを受信するステップと、
前記番組スケジュール情報の前記部分が前記選択された日オプションおよび該選択されたデイパートの両方に対応するように前記第２の表示を表示するステップと
をさらに包含する請求項１０７に記載の方法。
【請求項１０９】
少なくとも１つのデイパートを前記第１の表示の一部として表示するステップを包含する請求項１０８に記載の方法。
【請求項１１０】
前記少なくとも１つのデイパートは複数のデイパートを含み、かつ該複数のデイパートの各々は日の等しい部分に対応する、請求項１０８に記載の方法。
【請求項１１１】
前記複数のデイパートの各々は４時間ピリオドに対応する、請求項１１０に記載の方法。
【請求項１１２】
前記選択されたデイパートを受信するステップより前にデフォルトのデイパートを該選択されたデイパートとして選択するステップをさらに包含する請求項１０８に記載の方法。
【請求項１１３】
前記デフォルトのデイパートは、前記インタラクティブ番組ガイドにおいて前回視聴された番組スケジュール情報に対応する、請求項１１２に記載の方法。
【請求項１１４】
前記少なくとも１つのデイパートは複数のデイパートを含み、前記方法は、
該複数のデイパートの１つを指定するカーソルを表示するステップと、
カーソル移動命令を受信するステップと、
該カーソル移動命令に応答して該カーソルを再配置するステップと、
該カーソルによって指定された該複数のデイパートの１つを該選択されたデイパートとして受信するステップと
をさらに包含する、請求項１０８に記載の方法。
【請求項１１５】
ユーザが前記複数のデイパートの最後のデイパートを越えて前記カーソルを移動させようとした場合に、該複数のデイパートの第１のデイパートにカーソルを再配置するステップをさらに包含する請求項１１４に記載の方法。
【請求項１１６】
前記選択されたデイパート以外の前記複数のデイパートの１つに対応する他の番組スケジュール情報が表示されるように前記第２の表示を再表示するステップをさらに包含する請求項１１５に記載の方法。
【請求項１１７】
前記少なくとも１つのデイパートはリモート位置からの送信によって定義される、請求項１０８に記載の方法。
【請求項１１８】
前記第２の表示において表示される前記番組スケジュール情報の前記一部に含まれる１つの番組スケジュール情報の選択を受信するステップと、
該選択に対応するテレビ番組を表示するステップと
をさらに包含する請求項１０８に記載の方法。
【請求項１１９】
番組スケジュール情報が利用可能でないユニークな日に対応する少なくとも１つの日インジケータを前記第１の表示の一部として表示するステップをさらに包含する請求項１０７に記載の方法。
【請求項１２０】
前記複数のデイパートの１つを指定するカーソルを表示するステップと、
カーソル移動命令を受信するステップと、
該カーソル移動命令に応答して該カーソルを再配置するステップと、
該カーソルが前記複数の日オプションのただ１つに再配置されることを可能にするステップと、
該カーソルによって指定された該複数の日オプションの１つを前記選択された日オプションとして受信するステップと
をさらに包含する請求項１１９に記載の方法。
【請求項１２１】
前記複数の日オプションが前記少なくとも１つの日インジケータと異なるスタイルの外観を有するように該複数の日オプションおよび該少なくとも１つの日インジケータを表示するステップをさらに包含する請求項１１９に記載の方法。
【請求項１２２】
前記異なるスタイルの外観は、前記少なくとも１つの日インジケータよりも広い、異なる表示を有する前記複数の日オプションを含む、請求項１２１に記載の方法。
【請求項１２３】
前記複数の日オプションの１つを指定するカーソルを表示するステップと、
カーソル移動命令を受信するステップと、
該カーソル移動命令に応答して該カーソルを再配置するステップと、
前回表示された該複数の日オプションと異なる月に対応する少なくとも１つの新しい日オプションが表示されるように前記第１の表示を再表示するステップと、
該カーソルによって指定された該少なくとも１つの新しい日オプションを前記選択された日オプションとして受信するステップと
をさらに包含する請求項１０７に記載の方法。
【請求項１２４】
前記複数の日オプションはリモート位置からの送信によって定義される、
請求項１０７に記載の方法。
【請求項１２５】
前記第２の表示において表示される前記番組スケジュール情報の前記一部に含まれる１つの番組スケジュール情報の選択を受信するステップと、
該選択に対応するテレビ番組を表示するステップと
をさらに包含する請求項１０７に記載の方法。
【請求項１２６】
前記選択された日オプションを受信するステップより前にデフォルトの日オプションを該選択された日オプションとして選択するステップをさらに包含する請求項１０７に記載の方法。
【請求項１２７】
前記デフォルトの日オプションは、前記インタラクティブ番組ガイドにおいて前回視聴された番組スケジュール情報に対応する、請求項１０７に記載の方法。
【請求項１２８】
該複数の日オプションの１つを指定するカーソルを表示するステップと、
カーソル移動命令を受信するステップと、
該カーソル移動命令に応答して該カーソルを再配置するステップと、
該カーソルによって指定された該複数の日オプションの１つを前記選択された日オプションとして受信するステップと
をさらに包含する請求項１０７に記載の方法。
【請求項１２９】
ユーザが前記複数の日オプションの最後の日オプションを越えて前記カーソルを移動させようとした場合に、該複数の日オプションの第１の日オプションにカーソルを再配置するステップをさらに包含する請求項１２８に記載の方法。
【請求項１３０】
前記選択された日オプションに対応しない他の番組スケジュール情報が表示されるように前記第２の表示を再表示するステップをさらに包含する請求項１０７に記載の方法。
【請求項１３１】
番組スケジュール情報が利用可能でない日に対応する少なくとも１つの日インジケータを前記第１の表示の一部として表示するステップをさらに包含する請求項１０７に記載の方法。
【請求項１３２】
前記複数の日オプションの１つを指定するカーソルを表示するステップと、
カーソル移動命令を受信するステップと、
該カーソル移動命令に応答して該カーソルを再配置するステップと、
該カーソルが前記複数の日オプションのただ１つに再配置されることを可能にするステップと、
該カーソルによって指定された該複数の日オプションの１つを前記選択された日オプションとして受信するステップと
をさらに包含する請求項１３１に記載の方法。
【請求項１３３】
前記複数の日オプションが前記少なくとも１つの日インジケータと異なるスタイルの外観を有するように該複数の日オプションおよび該少なくとも１つの日インジケータを表示するステップをさらに包含する請求項１３２に記載の方法。
【請求項１３４】
前記複数の日オプションの１つを指定するカーソルを表示するステップと、
カーソル移動命令を受信するステップと、
該カーソル移動命令に応答して該カーソルを再配置するステップと、
前回表示された該複数の日オプションと異なる月に対応する少なくとも１つの新しい日オプションが表示されるように前記第１の表示を再表示するステップと、
該カーソルによって指定された該少なくとも１つの新しい日オプションを前記選択された日オプションとして受信するステップと
をさらに包含する請求項１３１に記載の方法。
【請求項１３５】
前記複数の日オプションは７つの日オプションを含む、
請求項１０７に記載の方法。
【請求項１３６】
前記複数の日オプションはリモート位置からの送信によって定義される、
請求項１０７に記載の方法。
【請求項１３７】
前記第２の表示において表示される前記番組スケジュール情報の前記一部に含まれる１つの番組スケジュール情報の選択を受信するステップと、
該選択に対応するテレビ番組を表示するステップと
をさらに包含する請求項１０７に記載の方法。
【請求項１３８】
前記複数の日オプションの各々は月カレンダー表示の一部にセルとして表示される、請求項１０７に記載の方法。
【請求項１３９】
ディスプレイ上に選択された番組スケジュール情報を表示するインタラクティブ番組ガイドシステムであって、
ユーザ入力装置と、
コントロールユニットであって、（ａ）複数の日オプションを有する第１の表示が表示されるようにし、該複数の日オプションの各々は、ユニークな日に対応し、該ユニークな日に対して番組スケジュール情報が利用可能であり、該複数の日オプションは、同時に月のうちの日を表す対応する複数の数を示し、該日に対して番組スケジュール情報が利用可能であり、（ｂ）該複数の日オプションの１つの選択された日オプションを受信し、（ｃ）該選択された日オプションに対応する該番組スケジュール情報の一部を有する第２の表示が表示されるようにする、コントロールユニットと
を含むシステム。
【請求項１４０】
前記コントロールユニットは、
少なくとも１つのデイパートが表示されるようにし、
該少なくとも１つのデイパートの１つの選択されたデイパートを前記ユーザ装置から受信し、
前記番組スケジュール情報の前記部分が前記選択された日オプションおよび該選択されたデイパートの両方に対応するように前記第２の表示が表示される、
ようにする、請求項１３９に記載のインタラクティブ番組ガイドシステム。
【請求項１４１】
前記コントロールユニットは、少なくとも１つのデイパートが前記第１の表示の一部として表示されるようにする、
請求項１４０に記載のインタラクティブ番組ガイドシステム。
【請求項１４２】
前記少なくとも１つのデイパートは複数のデイパートを含み、かつ該複数のデイパートの各々は日の等しい部分に対応する、
請求項１４０に記載のインタラクティブ番組ガイドシステム。
【請求項１４３】
前記複数のデイパートの各々は４時間ピリオドに対応する、請求項１４２に記載のインタラクティブ番組ガイドシステム。
【請求項１４４】
前記コントロールユニットは、前記選択されたデイパートの受信より前にデフォルトのデイパートを該選択されたデイパートとして選択する、請求項１４０に記載のインタラクティブ番組ガイドシステム。
【請求項１４５】
前記デフォルトのデイパートは、前記インタラクティブ番組ガイドにおいて前回視聴された番組スケジュール情報に対応する、請求項１４４に記載のインタラクティブ番組ガイドシステム。
【請求項１４６】
前記少なくとも１つのデイパートは複数のデイパートを含み、かつ前記コントロールユニットは、
該複数のデイパートの１つを指定するカーソルが表示されるようにし、
カーソル移動命令を前記ユーザ入力装置から受信し、
該カーソル移動命令に応答して該カーソルを再配置し、
該カーソルによって指定された該複数のデイパートの１つを該選択されたデイパートとして受信する、請求項１４０に記載のインタラクティブ番組ガイドシステム。
【請求項１４７】
ユーザが前記複数のデイパートの最後のデイパートを越えて前記カーソルを移動させようとした場合に、前記コントロールユニットは、該複数のデイパートの第１のデイパートにカーソルを再配置する、請求項１４６に記載のインタラクティブ番組ガイドシステム。
【請求項１４８】
前記選択されたデイパート以外の前記複数のデイパートの１つに対応する他の番組スケジュール情報が表示されるように前記第２の表示が再表示されるようにする、請求項１４７に記載のインタラクティブ番組ガイドシステム。
【請求項１４９】
前記少なくとも１つのデイパートはリモート位置からの送信によって定義される、請求項１４０に記載のインタラクティブ番組ガイドシステム。
【請求項１５０】
前記コントロールユニットは、
前記第２の表示において表示される前記番組スケジュール情報の前記一部に含まれる１つの番組スケジュール情報の選択を前記ユーザ入力装置から受信し、
該選択に対応するテレビ番組が表示されるようにする、
請求項１４０に記載のインタラクティブ番組ガイドシステム。
【請求項１５１】
前記コントロールユニットはまた、番組スケジュール情報が利用可能でないユニークな日に対応する少なくとも１つの日インジケータが前記第１の表示の一部として表示されるようにする、請求項１３９に記載のインタラクティブ番組ガイドシステム。
【請求項１５２】
前記コントロールユニットは、
前記複数のデイパートの１つを指定するカーソルが表示されるようにし、
カーソル移動命令を前記ユーザ入力装置から受信し、
該カーソル移動命令に応答して該カーソルを再配置し、
該カーソルが前記複数の日オプションのただ１つに再配置されることを可能にし、
該カーソルによって指定された該複数の日オプションの１つを前記選択された日オプションとして受信する、請求項１５１に記載のインタラクティブ番組ガイドシステム。
【請求項１５３】
前記コントロールユニットは、前記複数の日オプションが前記少なくとも１つの日インジケータと異なるスタイルの外観を有するように該複数の日オプションおよび該少なくとも１つの日インジケータが表示されるようにする、請求項１５１に記載のインタラクティブ番組ガイドシステム。
【請求項１５４】
前記異なるスタイルの外観は、前記少なくとも１つの日インジケータよりも広い、異なる表示を有する前記複数の日オプションを含む、請求項１５３に記載のインタラクティブ番組ガイドシステム。
【請求項１５５】
前記コントロールユニットは、
前記複数の日オプションの１つを指定するカーソルが表示されるようにし、
カーソル移動命令を前記ユーザ入力装置から受信し、
該カーソル移動命令に応答して該カーソルを再配置し、
前回表示された該複数の日オプションと異なる月に対応する少なくとも１つの新しい日オプションが表示されるように前記第１の表示が再表示されるようにし、
該カーソルによって指定された該少なくとも１つの新しい日オプションを前記選択された日オプションとして受信する、請求項１３９に記載のインタラクティブ番組ガイドシステム。
【請求項１５６】
前記複数の日オプションはリモート位置からの送信によって定義される、請求項１３９に記載のインタラクティブ番組ガイドシステム。
【請求項１５７】
前記コントロールユニットは、
前記第２の表示において表示される前記番組スケジュール情報の前記一部に含まれる１つの番組スケジュール情報の選択を前記ユーザ入力装置から受信し、
該選択に対応するテレビ番組が表示されるようにする、請求項１３９に記載のインタラクティブ番組ガイドシステム。
【請求項１５８】
前記コントロールユニットは、前記選択された日オプションの受信より前にデフォルトの日オプションを該選択された日オプションとして選択する、請求項１３９に記載のインタラクティブ番組ガイドシステム。
【請求項１５９】
前記デフォルトの日オプションは、前記インタラクティブ番組ガイドにおいて前回視聴された番組スケジュール情報に対応する、請求項１５８に記載のインタラクティブ番組ガイドシステム。
【請求項１６０】
前記コントロールユニットは、
該複数の日オプションの１つを指定するカーソルが表示されるようにし、
カーソル移動命令を前記ユーザ入力装置から受信し、
該カーソル移動命令に応答して該カーソルを再配置し、
該カーソルによって指定された該複数の日オプションの１つを前記選択された日オプションとして受信する、請求項１３９に記載のインタラクティブ番組ガイドシステム。
【請求項１６１】
前記コントロールユニットは、ユーザが前記複数の日オプションの最後の日オプションを越えて前記カーソルを移動させようとした場合に、該複数の日オプションの第１の日オプションにカーソルを再配置する、請求項１６０に記載のインタラクティブ番組ガイドシステム。
【請求項１６２】
前記コントロールユニットは、前記選択された日オプションに対応しない他の番組スケジュール情報が表示されるように前記第２の表示が再表示されるようにする、請求項１３９に記載のインタラクティブ番組ガイドシステム。
【請求項１６３】
前記コントロールユニットは、番組スケジュール情報が利用可能でない日に対応する少なくとも１つの日インジケータが前記第１の表示の一部として表示されるようにする、請求項１３９に記載のインタラクティブ番組ガイドシステム。
【請求項１６４】
前記コントロールユニットは、
前記複数の日オプションの１つを指定するカーソルが表示されるようにし、
カーソル移動命令を前記ユーザ入力装置から受信し、
該カーソル移動命令に応答して該カーソルを再配置し、
該カーソルが前記複数の日オプションのただ１つに再配置されることを可能にし、
該カーソルによって指定された該複数の日オプションの１つを前記選択された日オプションとして受信する、請求項１６３に記載のインタラクティブ番組ガイドシステム。
【請求項１６５】
前記コントロールユニットは、前記複数の日オプションが前記少なくとも１つの日インジケータと異なるスタイルの外観を有するように該複数の日オプションおよび該少なくとも１つの日インジケータが表示されるようにする、請求項１６４に記載のインタラクティブ番組ガイドシステム。
【請求項１６６】
前記コントロールユニットは、
前記複数の日オプションの１つを指定するカーソルが表示されるようにし、
カーソル移動命令を前記ユーザ入力装置から受信し、
該カーソル移動命令に応答して該カーソルを再配置し、
前回表示された該複数の日オプションと異なる月に対応する少なくとも１つの新しい日オプションが表示されるように前記第１の表示が再表示されるようにし、
該カーソルによって指定された該少なくとも１つの新しい日オプションを前記選択された日オプションとして受信する、請求項１６３に記載のインタラクティブ番組ガイドシステム。
【請求項１６７】
前記複数の日オプションは７つの日オプションを含む、
請求項１３９に記載のインタラクティブ番組ガイドシステム。
【請求項１６８】
前記複数の日オプションはリモート位置からの送信によって定義される、請求項１３９に記載のインタラクティブ番組ガイドシステム。
【請求項１６９】
前記コントロールユニットは、
前記第２の表示において表示される前記番組スケジュール情報の前記一部に含まれる１つの番組スケジュール情報の選択を前記ユーザ入力装置から受信し、
該選択に対応するテレビ番組が表示されるようにする、請求項１３９に記載のインタラクティブ番組ガイドシステム。
【請求項１７０】
前記複数の日オプションの各々は月カレンダー表示の一部にセルとして表示される、請求項１４０に記載のインタラクティブ番組ガイドシステム。
【請求項１７１】
第１の表示が現れるテレビモニタ上の双方向番組ガイド機能にユーザをアクセス可能にする方法であって、該方法は、
リモートコントロールを介して該ユーザからメニュー入力を受信するステップと、
該メニュー入力に応答して、該第１の表示の少なくとも実質的な部分と同時に双方向番組ガイドメニューを表示するステップであって、該双方向番組ガイドメニューは、該双方向番組ガイドの複数の表示モードに対応する複数のメニュー選択肢を含む、ステップと、
該リモートコントロールを介して該複数のメニュー選択肢からの特定のメニュー選択肢のユーザの選択を受信することに応答して、該特定のメニュー選択肢に関連する番組ガイド情報を表示するステップと
を包含する、方法。
【請求項１７２】
複数のメニュー選択肢を含む双方向番組ガイドメニューを表示するステップは、番組リスト項目表示モードに対応するメニュー選択肢を含む双方向番組ガイドメニューを表示するステップを包含する、請求項１７１に記載の方法。
【請求項１７３】
前記特定のメニュー選択肢に関連する番組ガイド情報を表示するステップは、前記番組リスト項目表示モードに対応するメニュー選択肢のユーザの選択を受信することに応答して、複数の双方向番組リスト項目を表示するステップを包含する、請求項１７２に記載の方法。
【請求項１７４】
複数のメニュー選択肢を含む双方向番組ガイドメニューを表示するステップは、番組検索表示モードに対応するメニュー選択肢を含む双方向番組ガイドメニューを表示するステップを包含する、請求項１７１に記載の方法。
【請求項１７５】
前記特定のメニュー選択肢に関連する番組ガイド情報を表示するステップは、前記番組検索表示モードに対応する該メニュー選択肢のユーザの選択を受信することに応答して、双方向番組ガイドインタフェースを表示するステップであって、該ユーザが番組スケジュールデータのデータベースの限定的な検索を該双方向番組ガイドインタフェースから開始し得る、ステップを包含する、請求項１７４に記載の方法。
【請求項１７６】
複数のメニュー選択肢を含む双方向番組ガイドメニューを表示するステップは、表示モードを視聴する（ｖｉｅｗ）日に対応するメニュー選択肢を含む双方向番組ガイドメニューを表示するステップを包含する、請求項１７１に記載の方法。
【請求項１７７】
前記特定のメニュー選択肢に関連する番組ガイド情報を表示するステップは、前記表示モードを視聴する日に対応するメニュー選択肢のユーザの選択の受信に応答して、番組スケジュール情報が利用可能な唯一の日にそれぞれ対応する複数の選択可能な日のオプションを表示するステップを包含し、特定の日のオプションに対応する番組スケジュール情報は、選択されている該特定の日のオプションに対応して表示される、請求項１７６に記載の方法。
【請求項１７８】
複数のメニュー選択肢を含む双方向番組ガイドメニューを表示するステップは、お気に入りのチャネル表示モードに対応するメニュー選択肢を含む双方向番組ガイドメニューを表示するステップを包含する、請求項１７１に記載の方法。
【請求項１７９】
前記特定のメニュー選択肢に関連する番組ガイド情報を表示するステップは、前記お気に入りのチャネル表示モードに対応する該メニュー選択肢のユーザの選択を受信することに応答して、双方向番組ガイドインタフェースを表示するステップであって、該ユーザがお気に入りのチャネルのラインナップを該双方向番組ガイドインタフェースから選択し得る、ステップを包含する、請求項１７８に記載の方法。
【請求項１８０】
前記第１の表示は、所与のテレビ番組用のビデオを含み、双方向番組ガイドメニューを表示するステップは、該所与のテレビ番組用のビデオの少なくとも実質的な部分と同時に該双方向番組ガイドメニューを表示するステップを包含する、請求項１７１に記載の方法。
【請求項１８１】
前記第１の表示は、双方向番組ガイド表示を含み、双方向番組ガイドメニューを表示するステップは、該双方向番組ガイド表示の少なくとも実質的な部分と同時に該双方向番組ガイドメニューを表示するステップを包含する、請求項１７１に記載の方法。
【請求項１８２】
前記双方向番組ガイドメニューに対するデフォルトメニュー選択肢を示す動作パラメータをリモート位置で定義するステップと、
該動作パラメータをユーザ機器に送信するステップと
をさらに包含し、
該双方向番組ガイドメニューを表示するステップは、該デフォルトメニュー選択肢を含む該双方向番組ガイドメニューを表示するステップを包含する、請求項１７１に記載の方法。
【請求項１８３】
前記リモートコントロールを介して前記ユーザから追加のメニュー選択肢を視聴するためのユーザの選択を受信することに応答して、前記表示されたメニュー選択肢の代わりに前記双方向番組ガイドメニューに新しいメニュー選択肢を表示するステップをさらに包含する、請求項１７１に記載の方法。
【請求項１８４】
第１の表示が現れるテレビモニタ上の双方向番組ガイド機能にユーザをアクセス可能にするシステムであって、該システムは、
ユーザ入力デバイスと、
制御回路であって、
該ユーザ入力デバイスを介して該ユーザからメニュー入力を受信することに応答して、該双方向番組ガイドの複数の表示モードに対応する複数のメニュー選択肢を含む双方向番組ガイドメニューを該第１の表示の少なくとも実質的な部分と同時に表示して、
該複数のメニュー選択肢からの特定のメニュー選択肢のユーザ選択を、該ユーザ入力デバイスを介して受信することに応答して、該特定のメニュー選択肢に関連する番組ガイド情報を表示するように構成される、制御回路と
を含む、システム。
【請求項１８５】
前記複数のメニュー選択肢は、番組リスト項目表示モードに対応するメニュー選択肢を含む、請求項１８４に記載のシステム。
【請求項１８６】
前記番組リスト項目表示モードに対応する前記メニュー選択肢は、前記ユーザによって選択された前記特定のメニュー選択肢であり、前記表示された番組ガイド情報は、複数の双方向番組リスト項目を含む、請求項１８５に記載のシステム。
【請求項１８７】
前記複数のメニュー選択肢は、番組検索表示モードに対応するメニュー選択肢を含む、請求項１８４に記載のシステム。
【請求項１８８】
前記番組検索表示モードに対応する該メニュー選択肢は、前記ユーザによって選択される前記特定のメニュー選択肢であり、前記表示された番組ガイド情報は、インタフェースを含み、該ユーザは、番組スケジュールデータのデータベースの限定的な検索を該インタフェースから開始し得る、請求項１８７に記載のシステム。
【請求項１８９】
前記複数のメニュー選択肢は、表示モードを視聴する日に対応するメニュー選択肢を含む、請求項１８４に記載のシステム。
【請求項１９０】
前記番組検索表示モードに対応する該メニュー選択肢は、前記ユーザによって選択された前記特定のメニュー選択肢であり、前記表示された番組ガイド情報は、番組スケジュール情報が利用可能な唯一の日にそれぞれ対応する複数の選択可能な日のオプションを含み、特定の日のオプションに対応する番組スケジュール情報は、選択されている該特定の日のオプションに応答して表示される、請求項１８９に記載のシステム。
【請求項１９１】
前記複数のメニュー選択肢は、お気に入りのチャネル表示モードに対応するメニュー選択肢を含む、請求項１８４に記載のシステム。
【請求項１９２】
前記お気に入りのチャネル表示モードに対応するメニュー選択肢は、前記ユーザによって選択された前記特定のメニュー選択肢であり、前記表示された番組ガイド情報は、双方向番組ガイドインタフェースであり、該ユーザがお気に入りのチャネルのラインナップを該双方向番組ガイドインタフェースから選択し得る、請求項１９１に記載のシステム。
【請求項１９３】
前記第１の表示は、所与のテレビ番組用のビデオを含み、前記双方向番組ガイドメニューは、該所与のテレビ番組用のビデオの少なくとも実質的な部分と同時に表示される、請求項１８４に記載のシステム。
【請求項１９４】
前記第１の表示は、双方向番組ガイド表示を含み、前記双方向番組ガイドメニューは、該双方向番組ガイド表示の少なくとも実質的な部分と同時に表示される、請求項１８４に記載のシステム。
【請求項１９５】
リモート設備であって、
前記双方向番組ガイドメニューに対するデフォルトメニュー選択肢を示す動作パラメータを定義して、
該動作パラメータを前記制御回路に送信するように構成されるリモート設備をさらに含み、
前記メニュー入力を前記ユーザから受信することに応答して表示される該双方向番組ガイドメニューは、該デフォルトメニュー選択肢を含む、請求項１８４に記載のシステム。
【請求項１９６】
前記制御回路は、前記ユーザ入力デバイスを介して前記ユーザから追加のメニュー選択肢を視聴するためのユーザの選択を受信することに応答して、前記表示されたメニュー選択肢の代わりに前記双方向番組ガイドメニューに新しいメニュー選択肢を表示するようにさらに構成される、請求項１８４に記載のシステム。
【請求項１９７】
第１の表示が現れるテレビモニタ上の双方向番組ガイド機能にユーザをアクセス可能にする双方向番組ガイドシステムであって、該システムは、
メニュー入力を該ユーザから受信する手段と、
該メニュー入力に応答して、該第１の表示の少なくとも実質的な部分と同時に双方向番組ガイドメニューを表示する手段であって、該双方向番組ガイドメニューは、該双方向番組ガイドの複数の表示モードに対応する複数のメニュー選択肢を含む、手段と、
該複数のメニュー選択肢からの特定のメニュー選択肢のユーザの選択を受信する、ユーザ選択を受信する手段に応答して、該特定のメニュー選択肢に関連する番組ガイド情報を表示する手段と
を含む、システム。
【請求項１９８】
複数のメニュー選択肢を含む前記双方向番組ガイドメニューを表示する手段は、番組リスト項目表示モードに対応するメニュー選択肢を含む双方向番組ガイドメニューを表示する手段を含む、請求項１９７に記載のシステム。
【請求項１９９】
前記特定のメニュー選択肢に関連する番組ガイド情報を表示する手段は、前記番組リスト項目表示モードに対応するメニュー選択肢のユーザの選択を受信する、ユーザ選択を受信する手段に応答して、複数の双方向番組リスト項目を表示する手段を含む、請求項１９８に記載のシステム。
【請求項２００】
複数のメニュー選択肢を含む双方向番組ガイドメニューを表示する手段は、番組検索表示モードに対応するメニュー選択肢を含む双方向番組ガイドメニューを表示する手段を含む、請求項１９７に記載のシステム。
【請求項２０１】
前記特定のメニュー選択肢に関連する番組ガイド情報を表示する手段は、前記番組検索表示モードに対応するメニュー選択肢のユーザの選択を受信する、ユーザの選択を受信する手段に応答して、双方向番組ガイドインタフェースを表示する手段を含み、該ユーザが番組スケジュールデータのデータベースの限定的な検索を双方向番組ガイドインタフェースから開始し得る、請求項２００に記載のシステム。
【請求項２０２】
前記複数のメニュー選択肢を含む双方向番組ガイドメニューを表示する手段は、表示モードを視聴する日に対応するメニュー選択肢を含む双方向番組ガイドメニューを表示する手段を含む、請求項１９７に記載のシステム。
【請求項２０３】
前記特定のメニュー選択肢に関連する番組ガイド情報を表示する手段は、前記表示モードを視聴する日に対応するメニュー選択肢のユーザの選択を受信する、ユーザの選択を受信する手段に応答して、番組スケジュール情報が利用可能な唯一の日にそれぞれ対応する複数の選択可能な日のオプションを表示する手段を含み、特定の日のオプションに対応する番組スケジュール情報は、選択されている該特定の日のオプションに応答して表示される、請求項２０２に記載のシステム。
【請求項２０４】
前記複数のメニュー選択肢を含む双方向番組ガイドメニューを表示する手段は、お気に入りのチャネル表示モードに対応するメニュー選択肢を含む双方向番組ガイドメニューを表示する手段を含む、請求項１９７に記載のシステム。
【請求項２０５】
前記特定のメニュー選択肢に関連する番組ガイド情報を表示する手段は、前記お気に入りのチャネル表示モードに対応するメニュー選択肢のユーザの選択を受信する、ユーザの選択を受信する手段に応答して、双方向番組ガイドインタフェースを表示する手段を含み、該ユーザがお気に入りのチャネルラインナップを該双方向番組ガイドインタフェースから選択し得る、請求項２０４に記載のシステム。
【請求項２０６】
前記第１の表示は、所与のテレビ番組用のビデオを含み、双方向番組ガイドメニューを表示する手段は、該所与のテレビ番組用のビデオの少なくとも実質的な部分と同時に該双方向番組ガイドメニューを表示する手段を表示する、請求項１９７に記載のシステム。
【請求項２０７】
前記第１の表示は、双方向番組ガイド表示を含み、双方向番組ガイドメニューを表示する手段は、該双方向番組ガイド表示の少なくとも実質的な部分と同時に該双方向番組ガイドメニューを表示する手段を含む、請求項１９７に記載のシステム。
【請求項２０８】
前記双方向番組ガイドメニューに対するデフォルトメニュー選択肢を示す動作パラメータをリモート位置で定義する手段と、
該動作パラメータをユーザ機器に送信する手段と
を含み、
該双方向番組ガイドメニューを表示する手段は、該デフォルトメニュー選択肢を含む該双方向番組ガイドメニューを表示する手段を含む、請求項１９７に記載のシステム。
【請求項２０９】
追加のメニュー選択肢を視聴するためのユーザの選択を受信する、前記ユーザの選択肢を受信する手段に応答して、前記表示されたメニュー選択肢の代わりに該双方向番組ガイドメニューに新しいメニュー選択肢を表示する手段をさらに含む、請求項１９７に記載のシステム。